【手続補正書】
【提出日】平成25年8月20日(2013.8.20)
【手続補正１】
【補正対象書類名】特許請求の範囲
【補正対象項目名】全文
【補正方法】変更
【補正の内容】
【特許請求の範囲】
【請求項１】
直列に接続された複数の電池セルと、
直列に接続され、各々が前記複数の電池セルのうち所定数の電池セルの電圧を検出する複数の監視装置と、
直列に接続された前記複数の監視装置のうちの一端の前記監視装置に接続され、前記複数の監視装置の各々に対してアドレス情報を送信する基幹装置と、
を有する組電池システムであって、
前記監視装置の各々は、
前記アドレス情報を受信すると、前記アドレス情報を自己のアドレスとして設定し且つ前記アドレス情報に所定の情報を付加して後段の監視装置に出力し、又は前記アドレス情報に所定の情報を付加して自己のアドレスとして設定し且つ前記所定の情報を付加した前記アドレス情報を後段の監視装置に出力することを特徴とする組電池システム。
【請求項２】
前記監視装置の各々は、
前記アドレス情報に所定の情報を付加するアドレス生成部と、
自監視装置のアドレスを格納する格納部と、
を有することを特徴とする請求項１に記載の組電池システム。
【請求項３】
前記監視装置の各々は、
自監視装置内の動作を制御する制御部と、
前段の監視装置との通信を行うための第１の端子と、
後段の監視装置との通信を行うための第２の端子と、
を有し、
前記制御部から前記後段の監視装置に送信される信号と、自監視装置から前記後段の監視装置に送信される前記アドレス情報とは、前記第２の端子を共有することを特徴とする請求項１又は請求項２に記載の組電池システム。
【請求項４】
前記監視装置の各々は、前記制御部から前記後段の監視装置に送信される信号と、自監視装置から前記後段の監視装置に送信される前記アドレス情報とのいずれか一方を選択して出力する選択部を有していることを特徴とする請求項３に記載の組電池システム。
【請求項５】
前記選択部における前記選択は、前記アドレス生成部から出力される選択信号に基づいて行われることを特徴とする請求項４に記載の組電池システム。
【請求項６】
前記監視装置の各々は、前記アドレス生成部から出力される前記選択信号の期間が設定された選択信号期間設定部を有することを特徴とする請求項５に記載の組電池システム。
【請求項７】
前記選択信号が出力される期間は、前記制御部から出力される起動信号に基づいて開始されることを特徴とする請求項６に記載の組電池システム。
【請求項８】
前記アドレス情報は、アドレス値を含み、
前記アドレス情報に付加される前記所定の情報は、所定のアドレス値であることを特徴とする請求項１乃至７のいずれか１項に記載の組電池システム。
【請求項９】
前記基幹装置は、前記監視装置の各々に対して前記電池セルの各々の電圧を検出する命令を出力するとともに、前記監視装置の各々が検出した前記電池セルの電圧を収集することを特徴とする請求項１乃至８のいずれか１項に記載の組電池システム。
【請求項１０】
直列に接続され、各々が、直列に接続された複数の電池セルのうち所定数の電池セルの電圧を検出する複数の監視装置と、
直列に接続された前記複数の監視装置のうちの一端の前記監視装置に接続され、前記複数の監視装置の各々に対してアドレス情報を送信する基幹装置と、
を有する電圧監視システムであって、
前記監視装置の各々は、
前記アドレス情報を受信すると、前記アドレス情報を自己のアドレスとして設定し且つ前記アドレス情報に所定の情報を付加して後段の監視装置に出力し、又は前記アドレス情報に所定の情報を付加して自己のアドレスとして設定し且つ前記所定の情報を付加した前記アドレス情報を後段の監視装置に出力することを特徴とする電圧監視システム。
【請求項１１】
直列に接続され、各々が、直列に接続された複数の電池セルのうち所定数の電池セルの電圧を検出する複数の監視装置であって、
前記監視装置の各々は、
前段からアドレス情報を受信すると、前記アドレス情報を自己のアドレスとして設定し且つ前記アドレス情報に所定の情報を付加して後段の監視装置に出力し、又は前記アドレス情報に所定の情報を付加して自己のアドレスとして設定し且つ前記所定の情報を付加した前記アドレス情報を後段の監視装置に出力することを特徴とする監視装置。
【手続補正２】
【補正対象書類名】明細書
【補正対象項目名】発明の名称
【補正方法】変更
【補正の内容】
【発明の名称】組電池システム、電圧監視システム及び監視装置
【手続補正３】
【補正対象書類名】明細書
【補正対象項目名】０００１
【補正方法】変更
【補正の内容】
【０００１】
本発明は、組電池システム、電圧監視システム及び監視装置に係り、特に、複数の電圧監視装置に対して電圧監視装置を特定するための特定情報を設定する組電池システム、電圧監視システム及び監視装置に関する。
【手続補正４】
【補正対象書類名】明細書
【補正対象項目名】００１１
【補正方法】変更
【補正の内容】
【００１１】
本発明は上記問題点を解決するために成されたものであり、複数の監視装置の各々に特定情報を設定するための専用端子を各監視装置に設けることなく監視装置の各々に対して特定情報を設定することができる組電池システム、電圧監視システム及び監視装置を提供することを目的とする。
【手続補正５】
【補正対象書類名】明細書
【補正対象項目名】００１２
【補正方法】変更
【補正の内容】
【００１２】
上記目的を達成するために、請求項１に記載の組電池システムは、直列に接続された複数の電池セルと、直列に接続され、各々が前記複数の電池セルのうち所定数の電池セルの電圧を検出する複数の監視装置と、直列に接続された前記複数の監視装置のうちの一端の前記監視装置に接続され、前記複数の監視装置の各々に対してアドレス情報を送信する基幹装置と、を有する組電池システムであって、前記監視装置の各々が、前記アドレス情報を受信すると、前記アドレス情報を自己のアドレスとして設定し且つ前記アドレス情報に所定の情報を付加して後段の監視装置に出力し、又は前記アドレス情報に所定の情報を付加して自己のアドレスとして設定し且つ前記所定の情報を付加した前記アドレス情報を後段の監視装置に出力することを特徴とするものである。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
一方、上記目的を達成するために、請求項１０に記載の電圧監視システムは、直列に接続され、各々が、直列に接続された複数の電池セルのうち所定数の電池セルの電圧を検出する複数の監視装置と、直列に接続された前記複数の監視装置のうちの一端の前記監視装置に接続され、前記複数の監視装置の各々に対してアドレス情報を送信する基幹装置と、を有する電圧監視システムであって、前記監視装置の各々が、前記アドレス情報を受信すると、前記アドレス情報を自己のアドレスとして設定し且つ前記アドレス情報に所定の情報を付加して後段の監視装置に出力し、又は前記アドレス情報に所定の情報を付加して自己のアドレスとして設定し且つ前記所定の情報を付加した前記アドレス情報を後段の監視装置に出力することを特徴とするものである。
【手続補正１１】
【補正対象書類名】明細書
【補正対象項目名】００１８
【補正方法】変更
【補正の内容】
【００１８】
一方、上記目的を達成するために、請求項１１に記載の監視装置は、直列に接続され、各々が、直列に接続された複数の電池セルのうち所定数の電池セルの電圧を検出する複数の監視装置であって、前記監視装置の各々が、前段からアドレス情報を受信すると、前記アドレス情報を自己のアドレスとして設定し且つ前記アドレス情報に所定の情報を付加して後段の監視装置に出力し、又は前記アドレス情報に所定の情報を付加して自己のアドレスとして設定し且つ前記所定の情報を付加した前記アドレス情報を後段の監視装置に出力することを特徴とするものである。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】